(57)【要約】【課題】移動手摺が踏段よりも遅れて循環移動することを抑制することができる移動手摺内側異物除去装置を得る。【解決手段】移動手摺５の内側に設けられ、主枠１に対して固定される支持部７１と、支持部７１に設けられ、移動手摺５における耳部５２の内周面に接触するやすり部７２とを備え、支持部７１は高さ方向について移動可能となっており、やすり部７２は、移動手摺５が循環移動することによって、移動手摺５における耳部５２の内周面を研磨する。【選択図】図４
2016204114.tif 000002
【特許請求の範囲】
【請求項１】
移動手摺の内側に設けられ、主枠に対して固定される支持部と、
前記支持部に設けられ、前記移動手摺の内周面に接触するやすり部と
を備え、
前記やすり部は、前記移動手摺が循環移動することによって、前記移動手摺の内周面を研磨することを特徴とする移動手摺内側異物除去装置。
【請求項２】
前記移動手摺を案内する案内レールにおける手摺駆動装置に隣り合う部分に配置される端末ガイドと置き換え可能となっていることを特徴とする請求項１に記載の移動手摺内側異物除去装置。
【請求項３】
前記支持部は、高さ方向について移動可能となっていることを特徴とする請求項１または請求項２に記載の移動手摺内側異物除去装置。
【請求項４】
前記やすり部は、前記移動手摺における耳部の内周面に接触することを特徴とする請求項１から請求項３までの何れか一項に記載の移動手摺内側異物除去装置。
【請求項５】
移動手摺の内周面にやすり部を接触させるやすり部接触工程と、
前記移動手摺の内周面に前記やすり部を接触させた状態で前記移動手摺を循環移動させることによって前記移動手摺の内周面を研磨する移動手摺内周面研磨工程と
を備えたことを特徴とする移動手摺内側異物除去方法。
【発明の詳細な説明】
【技術分野】
【０００１】
この発明は、移動手摺の内周面に形成された異物を除去する移動手摺内側異物除去装置および移動手摺内側異物除去方法に関する。
【背景技術】
【０００２】
従来、乗降口間を循環移動する複数の踏段と、断面Ｃ字形状に形成され、踏段と連動して乗降口間を循環移動する移動手摺と、移動手摺の内周面に接触する接触部を有し、移動手摺を案内する案内レールとを備えたエスカレータが知られている（例えば、特許文献１参照）。
【先行技術文献】
【特許文献】
【０００３】
【特許文献１】特開２０１０−２４７９２６号公報
【発明の概要】
【発明が解決しようとする課題】
【０００４】
しかしながら、移動手摺の内周面に、例えば、移動手摺を製造する際に発生する異物がある場合に、移動手摺と接触部との間の摩擦力が増加してしまい、移動手摺が踏段よりも遅れて循環移動してしまうという問題点があった。
【０００５】
この発明は、移動手摺が踏段よりも遅れて循環移動することを抑制することができる移動手摺内側異物除去装置および移動手摺内側異物除去方法を提供するものである。
【課題を解決するための手段】
【０００６】
この発明に係る移動手摺内側異物除去装置は、移動手摺の内側に設けられ、主枠に対して固定される支持部と、支持部に設けられ、移動手摺の内周面に接触するやすり部とを備え、やすり部は、移動手摺が循環移動することによって、移動手摺の内周面を研磨する。
【発明の効果】
【０００７】
この発明に係る移動手摺内側異物除去装置によれば、やすり部は、移動手摺が循環移動することによって、移動手摺の内周面を研磨するので、移動手摺の内周面に発生した異物が移動手摺の内周面から除去される。これにより、移動手摺が踏段よりも遅れて循環移動することを抑制することができる。
【図面の簡単な説明】
【０００８】
【図１】この発明の実施の形態１に係るエスカレータを示す側面図である。
【図２】図１のＡ部を示す拡大図である。
【図３】図１の移動手摺を示す断面図である。
【図４】図１のエスカレータに取り付けられる移動手摺内側異物除去装置を示す断面図である。
【発明を実施するための形態】
【０００９】
実施の形態１．
図１はこの発明の実施の形態１に係るエスカレータを示す側面図である。図において、エスカレータ（乗客コンベヤ）は、上階側階床１００と下階側階床１０１とに渡って設けられた主枠１と、主枠１に設けられ、上階側階床１００と下階側階床１０１との間を循環移動する複数の踏段２と、踏段２の幅方向外側に配置されるように主枠１に設けられた一対の欄干３と、それぞれの欄干３に設けられた案内レール４と、案内レール４に案内される移動手摺５と、移動手摺５を駆動する手摺駆動装置６とを備えている。
【００１０】
図２は図１のＡ部を示す拡大図である。手摺駆動装置６は、移動手摺５の帰路側部分の内周面に接触する駆動ローラ６１と、駆動ローラ６１との間に移動手摺５が配置されるように設けられ、移動手摺５を駆動ローラ６１に向かって押圧する加圧ローラ（図示せず）とを有している。加圧ローラが移動手摺５を押圧した状態で駆動ローラ６１が回転することによって、移動手摺５が循環移動する。駆動ローラ６１には、踏段２を循環移動させる動力が伝達されるようになっている。これにより、移動手摺５は、踏段２と連動して循環移動する。
【００１１】
案内レール４における手摺駆動装置６と隣り合う部分には、端末ガイド４１が配置されている。端末ガイド４１は、移動手摺５の帰路側部分に接触するように配置されている。端末ガイド４１は、長手方向の寸法が１６０ｍｍ程度となっており、容易に主枠１に対して着脱することができる。また、端末ガイド４１は、主枠１に対して上下方向Ｂに移動可能となっている。
【００１２】
図３は図１の移動手摺５を示す断面図である。図３では、移動手摺５における帰路側部分について長手方向に垂直な断面を示している。移動手摺５は、利用者に把持される把持部５１と、把持部５１の幅方向外側に設けられた耳部５２とを有している。
【００１３】
移動手摺５の内周面には、例えば、移動手摺５を製造する際に異物５３が発生する場合がある。この異物５３は、移動手摺５における耳部５２の内周面に発生することが多い。
【００１４】
図４は図１のエスカレータに取り付けられる移動手摺内側異物除去装置７を示す断面図である。移動手摺内側異物除去装置７は、端末ガイド４１と同じ形状に形成されている。つまり、移動手摺内側異物除去装置７は、端末ガイド４１と置き換えて主枠１に対して固定することができる。したがって、移動手摺内側異物除去装置７は、移動手摺５における帰路側部分に接触する。
【００１５】
移動手摺内側異物除去装置７は、主枠１に対して固定される支持部７１と、支持部７１に設けられ、移動手摺５の内周面に接触するやすり部７２とを有している。やすり部７２は、移動手摺５における把持部５１の幅方向外側部分の内周面と耳部５２の内周面とに接触するように形成されている。
【００１６】
やすり部７２は、やすり部７２が移動手摺５の内周面に接触した状態で移動手摺５が循環移動することによって、移動手摺５の内周面を研磨する。これにより、移動手摺５の内周面に形成されている異物５３が移動手摺５の内周面から除去される。
【００１７】
移動手摺内側異物除去装置７は、端末ガイド４１と同様に、主枠１に対して上下方向Ｂに移動可能となっている。移動手摺内側異物除去装置７は、移動手摺内側異物除去装置７を上方に移動させることによって、耳部５２の内周面と接触する圧力が増大する。これにより、やすり部７２は、より強く耳部５２の内周面を研磨することができる。つまり、移動手摺内側異物除去装置７は、主枠１に対する高さ方向の位置を変化させることによって、やすり部７２と耳部５２の内周面との間の圧力を変化させて、やすり部７２による耳部５２の研磨の量を調整することができる。
【００１８】
次に、移動手摺内側異物除去装置７を用いた移動手摺内側異物除去方法について説明する。まず、案内レール４における端末ガイド４１を移動手摺内側異物除去装置７に置き換える。その後、移動手摺５を案内レール４および移動手摺内側異物除去装置７に取り付ける。なお、移動手摺５を案内レール４に取り付けた後に、案内レール４における端末ガイド４１を移動手摺内側異物除去装置７に置き換えてもよい。
【００１９】
その後、移動手摺内側異物除去装置７の高さ方向の位置を調整して、移動手摺５の耳部５２の内周面にやすり部７２を接触させる（やすり部接触工程）。
【００２０】
移動手摺５の耳部５２の内周面にやすり部７２を接触させた状態で、移動手摺５を循環移動させることによって、移動手摺５の耳部５２の内周面を研磨する（移動手摺内周面研磨工程）。
【００２１】
移動手摺５の内周面に形成された異物５３が除去される程度に移動手摺５を循環移動させた後、移動手摺５の循環移動を停止する。移動手摺５から除去された異物５３が移動手摺５の内側に残っている場合には、塵取りまたは掃除機を用いて、移動手摺５の内側から異物５３を取り出す。その後、移動手摺内側異物除去装置７を端末ガイド４１に置き換える（やすり部取外工程）。以上により、移動手摺内側異物除去装置７を用いた移動手摺内側異物除去方法が終了する。
【００２２】
以上説明したように、この発明の実施の形態１に係る移動手摺内側異物除去装置７によれば、やすり部７２は、移動手摺５が循環移動することによって、移動手摺５の内周面を研磨するので、移動手摺５の内周面に発生した異物５３が移動手摺５の内周面から除去される。これにより、移動手摺５が踏段２よりも遅れて循環移動することを抑制することができる。
【００２３】
また、移動手摺内側異物除去装置７は、移動手摺５を案内する案内レール４における端末ガイド４１と置き換えることによって主枠１に対して固定されるので、移動手摺内側異物除去装置７を容易に設置することができる。
【００２４】
また、支持部７１は、高さ方向について移動可能となっているので、やすり部７２と移動手摺５の内周面との間の圧力を変化させて、やすり部７２による移動手摺５の内周面の研磨の量を調整することができる。
【００２５】
やすり部７２は、移動手摺５における耳部５２の内周面に接触するので、移動手摺５を製造する際に異物５３が発生しやすい耳部５２の内周面から異物５３を除去することができる。
【００２６】
また、この発明の実施の形態１に係る移動手摺内側異物除去方法によれば、移動手摺５の内周面にやすり部７２を接触させるやすり部接触工程と、移動手摺５の内周面にやすり部７２を接触させた状態で移動手摺５を循環移動させることによって移動手摺５の内周面を研磨する移動手摺内周面研磨工程とを備えているので、移動手摺５の内周面に発生した異物５３が移動手摺５の内周面から除去される。これにより、移動手摺５が踏段２よりも遅れて循環移動することを抑制することができる。
【００２７】
なお、上記実施の形態１では、やすり部７２が移動手摺５の耳部５２の内周面に接触する移動手摺内側異物除去装置７の構成について説明したが、やすり部７２が、移動手摺５の耳部に限らず、例えば、把持部５１の内周面に接触する移動手摺内側異物除去装置であってもよい。
【００２８】
また、上記実施の形態１では、乗客コンベヤとして、エスカレータを例に説明したが、例えば、動く歩道であってもよい。
【符号の説明】
【００２９】
１  主枠、２  踏段、３  欄干、４  案内レール、５  移動手摺、６  手摺駆動装置、７  移動手摺内側異物除去装置、４１  端末ガイド、５１  把持部、５２  耳部、５３  異物、６１  駆動ローラ、７１  支持部、７２  やすり部、１００  上階側階床、１０１  下階側階床。
【図１】
2016204114.tif 000003
【図２】
2016204114.tif 000004
【図３】
2016204114.tif 000005
【図４】
2016204114.tif 000006